【手続補正書】
【提出日】令和1年11月22日(2019.11.22)
【手続補正１】
【補正対象書類名】特許請求の範囲
【補正対象項目名】全文
【補正方法】変更
【補正の内容】
【特許請求の範囲】
【請求項１】
ユーザ端末（ｕｓｅｒ  ｅｑｕｉｐｍｅｎｔ、ＵＥ）であって、
少なくとも１つの送受信機と、
前記少なくとも１つの送受信機と動作的に結合される少なくとも１つのプロセッサを含み、
前記少なくとも１つのプロセッサは、
コードブックに対する少なくとも１つの第１コードブックインデックスi１と関連付けられた第１ＰＭＩ（ｆｉｒｓｔ  ｐｒｅｃｏｄｉｎｇ  ｍａｔｒｉｘ  ｉｎｄｉｃａｔｏｒ）を決定し、前記コードブックの各プリコーディング行列は前記少なくとも１つの第１コードブックインデックスi１及び第２コードブックインデックスi２によって特定され、
前記コードブックのプリコーディング行列のセットから１つ以上のＰＲＢ（ｐｈｙｓｉｃａｌ  ｒｅｓｏｕｒｃｅ  ｂｌｏｃｋ）ごとにプリコーディング行列を選択することによってＣＱＩ（ｃｈａｎｎｅｌ  ｑｕａｌｉｔｙ  ｉｎｄｉｃａｔｏｒ）を決定し、前記プリコーディング行列のセットは前記少なくとも１つの第１コードブックインデックスi１及び前記第２コードブックインデックスi２と関連付けられた１つ以上の値に対応し、
前記第２コードブックインデックスi２と関連付けられた値を報告することなく、前記第１ＰＭＩ及び前記ＣＱＩを基地局に伝送するように構成されるユーザ端末。
【請求項２】
前記少なくとも１つのプロセッサは、
ＲＩ（ｒａｎｋ  ｉｎｄｉｃａｔｏｒ）を前記基地局に伝送するように追加的に構成され、
前記少なくとも１つの第１コードブックインデックスi１と関連付けられた前記第１ＰＭＩは前記ＲＩに基づいて計算される請求項１に記載のユーザ端末。
【請求項３】
前記第１ＰＭＩ及び前記ＣＱＩはＣＳＩ−ＲＳ（ｃｈａｎｎｅｌ  ｓｔａｔｅ  ｉｎｆｏｒｍａｔｉｏｎ−ｒｅｆｅｒｅｎｃｅ  ｓｉｇｎａｌ）アンテナポートの個数に基づいて決定され、
前記少なくとも１つの第１コードブックインデックスi１は２つの偏向グループの各々に対する基底行列のセットを示すように用いられ、
前記第２コードブックインデックスi２は前記基底行列のセットの中で１つ及び前記２つの偏向グループの間に適用されるコフェージング（ｃｏ−ｐｈａｓｉｎｇ）の値を示すように用いられる請求項１に記載のユーザ端末。
【請求項４】
前記少なくとも１つのプロセッサは、
前記基地局からコードブックパラメータを獲得するように追加的に構成され、
前記コードブックパラメータは、
第１次元で第１アンテナポートの個数；
第２次元で第２アンテナポートの個数；
前記第１次元で第１オーバーサンプリングファクタ（ｏｖｅｒｓａｍｐｌｉｎｇ  ｆａｃｔｏｒ）；
前記第２次元で第２オーバーサンプリングファクタ；及び
複数のコードブックの中の部分集合を示すコードブック構成パラメータを含み、前記部分集合は前記コードブックを含み、
前記少なくとも１つの第１コードブックインデックスi１は前記第１次元のための第１インデックスi１，１及び前記第２次元のための第２インデックスi１，２を含み、
前記プリコーディング行列のセットの各々は前記コードブックパラメータに基づいて前記複数のコードブックから識別される前記コードブックのプリコーディング行列である請求項１に記載のユーザ端末。
【請求項５】
前記コードブック構成パラメータが第１値である場合、前記コードブックは前記第２コードブックインデックスの０から３までの値及び前記少なくとも１つの第１コードブックインデックスi１と関連付けられた第１ＰＭＩに対応し、
前記コードブック構成パラメータが第２値である場合、前記コードブックは前記第２コードブックインデックスの０から１５までの値及び前記少なくとも１つの第１コードブックインデックスi１と関連付けられた第１ＰＭＩに対応する請求項４に記載のユーザ端末。
【請求項６】
前記少なくとも１つのプロセッサはＲＩ（ｒａｎｋ  ｉｎｄｉｃａｔｏｒ）を計算するように追加的に構成され、
前記第１ＰＭＩは前記ＲＩに基づいて広帯域（ｗｉｄｅｂａｎｄ）ＰＭＩに決定され、
前記ＣＱＩは、前記ＲＩ及び前記第１ＰＭＩに基づいて広帯域ＣＱＩに決定される請求項１に記載のユーザ端末。
【請求項７】
前記少なくとも１つのプロセッサは前記第２コードブックインデックスi２と関連付けられた値を報告しないように構成する情報を前記基地局から受信するように追加的に構成される請求項１に記載のユーザ端末。
【請求項８】
基地局（ｂａｓｅ  ｓｔａｔｉｏｎ、ＢＳ）であって、
少なくとも１つの送受信機と、
前記少なくとも１つの送受信機と動作的に結合される少なくとも１つのプロセッサを含み、
前記少なくとも１つのプロセッサは、
ユーザ端末（ｕｓｅｒ  ｅｑｕｉｐｍｅｎｔ、ＵＥ）にＣＳＩ−ＲＳ（ｃｈａｎｎｅｌ  ｓｔａｔｅ  ｉｎｆｏｒｍａｔｉｏｎ−ｒｅｆｅｒｅｎｃｅ  ｓｉｇｎａｌ）を送信し、
第２コードブックインデックスi２と関連付けられた値を受信することなく、コードブックに対する少なくとも１つの第１コードブックインデックスi１と関連付けられた第１ＰＭＩ（ｆｉｒｓｔ  ｐｒｅｃｏｄｉｎｇ  ｍａｔｒｉｘ  ｉｎｄｉｃａｔｏｒ）及びＣＱＩ（ｃｈａｎｎｅｌ  ｑｕａｌｉｔｙ  ｉｎｄｉｃａｔｏｒ）を前記ユーザ端末から受信するように構成され、
前記コードブックの各プリコーディング行列は前記少なくとも１つの第１コードブックインデックスi１及び第２コードブックインデックスi２によって特定され、
前記ＣＱＩは、前記コードブックのプリコーディング行列のセットから１つ以上のＰＲＢ（ｐｈｙｓｉｃａｌ  ｒｅｓｏｕｒｃｅ  ｂｌｏｃｋ）ごとにプリコーディング行列を選択することによって決定され、
前記プリコーディング行列のセットは前記少なくとも１つの第１コードブックインデックスi１及び前記第２コードブックインデックスi２と関連付けられた１つ以上の値に対応する基地局。
【請求項９】
前記少なくとも１つのプロセッサは、
ＲＩ（ｒａｎｋ  ｉｎｄｉｃａｔｏｒ）を前記ユーザ端末から受信するように追加的に構成され、
前記少なくとも１つの第１コードブックインデックスi１と関連付けられた前記第１ＰＭＩは前記ＲＩに基づいて計算される請求項８に記載の基地局。
【請求項１０】
前記少なくとも１つのプロセッサは、前記基地局のＣＳＩ−ＲＳアンテナポート上で前記ＣＳＩ−ＲＳを前記ユーザ端末に伝送するように追加的に構成され、
前記少なくとも１つの第１コードブックインデックスi１は２つの偏向グループの各々に対する基底行列のセットを示すように用いられ、
前記第２コードブックインデックスi２は前記基底行列のセットの中で１つ及び前記２つの偏向グループの間に適用されるコフェージング（ｃｏ−ｐｈａｓｉｎｇ）の値を示すように用いられる請求項８に記載の基地局。
【請求項１１】
前記少なくとも１つのプロセッサは、
前記ユーザ端末にコードブックパラメータを伝送するように追加的に構成され、
前記コードブックパラメータは、
第１次元で第１アンテナポートの個数；
第２次元で第２アンテナポートの個数；
前記第１次元で第１オーバーサンプリングファクタ（ｏｖｅｒｓａｍｐｌｉｎｇ  ｆａｃｔｏｒ）；
前記第２次元で第２オーバーサンプリングファクタ；及び
複数のコードブックの中の部分集合を示すコードブック構成パラメータを含み、前記部分集合は前記コードブックを含み、
前記少なくとも１つの第１コードブックインデックスi１は前記第１次元のための第１インデックスi１，１及び前記第２次元のための第２インデックスi１，２を含み、
前記プリコーディング行列のセットの各々は前記コードブックパラメータに基づいて前記複数のコードブックから識別される前記コードブックのプリコーディング行列である請求項８に記載の基地局。
【請求項１２】
前記コードブック構成パラメータが第１値である場合、前記コードブックは前記第２コードブックインデックスの０から３までの値及び前記少なくとも１つの第１コードブックインデックスi１と関連付けられた第１ＰＭＩに対応し、
前記コードブック構成パラメータが第２値である場合、前記コードブックは前記第２コードブックインデックスの０から１５までの値及び前記少なくとも１つの第１コードブックインデックスi１と関連付けられた第１ＰＭＩに対応する請求項１１に記載の基地局。
【請求項１３】
前記少なくとも１つのプロセッサは
前記ユーザ端末からＲＩ（ｒａｎｋ  ｉｎｄｉｃａｔｏｒ）を受信するように追加的に構成され、
前記第１ＰＭＩは前記ＲＩに基づいて広帯域（ｗｉｄｅｂａｎｄ）ＰＭＩに決定され、
前記ＣＱＩは、前記ＲＩ及び前記第１ＰＭＩに基づいて広帯域ＣＱＩに決定される請求項８に記載の基地局。
【請求項１４】
前記少なくとも１つのプロセッサは前記第２コードブックインデックスi２と関連付けられた値を報告しないように構成する情報を前記ユーザ端末に伝送するように追加的に構成される請求項８に記載の基地局。
【請求項１５】
ユーザ端末（ｕｓｅｒ  ｅｑｕｉｐｍｅｎｔ、ＵＥ）の方法であって、
コードブックに対する少なくとも１つの第１コードブックインデックスi１と関連付けられた第１ＰＭＩ（ｆｉｒｓｔ  ｐｒｅｃｏｄｉｎｇ  ｍａｔｒｉｘ  ｉｎｄｉｃａｔｏｒ）を決定する過程と、
前記コードブックの各プリコーディング行列は前記少なくとも１つの第１コードブックインデックスi１及び第２コードブックインデックスi２によって特定され、
前記コードブックのプリコーディング行列のセットから１つ以上のＰＲＢ（ｐｈｙｓｉｃａｌ  ｒｅｓｏｕｒｃｅ  ｂｌｏｃｋ）ごとにプリコーディング行列を選択することによってＣＱＩ（ｃｈａｎｎｅｌ  ｑｕａｌｉｔｙ  ｉｎｄｉｃａｔｏｒ）を決定する過程と、
前記プリコーディング行列のセットは前記少なくとも１つの第１コードブックインデックスi１及び前記第２コードブックインデックスi２と関連付けられた１つ以上の値に対応し、
前記第２コードブックインデックスi２と関連付けられた値を報告することなく、前記第１ＰＭＩ及び前記ＣＱＩを基地局に伝送する過程と、を含む方法。
【請求項１６】
ＲＩ（ｒａｎｋ  ｉｎｄｉｃａｔｏｒ）を前記基地局に伝送する過程をさらに含み、
前記少なくとも１つの第１コードブックインデックスi１と関連付けられた前記第１ＰＭＩは前記ＲＩに基づいて計算される請求項１５に記載の方法。
【請求項１７】
前記第１ＰＭＩ及び前記ＣＱＩはＣＳＩ−ＲＳ（ｃｈａｎｎｅｌ  ｓｔａｔｅ  ｉｎｆｏｒｍａｔｉｏｎ−ｒｅｆｅｒｅｎｃｅ  ｓｉｇｎａｌ）アンテナポートの個数に基づいて決定され、
前記少なくとも１つの第１コードブックインデックスi１は２つの偏向グループの各々に対する基底行列のセットを示すように用いられ、
前記第２コードブックインデックスi２は前記基底行列のセットの中で１つ及び前記２つの偏向グループの間に適用されるコフェージング（ｃｏ−ｐｈａｓｉｎｇ）の値を示すように用いられる請求項１５に記載の方法。
【請求項１８】
前記基地局からコードブックパラメータを獲得する過程をさらに含み、
前記コードブックパラメータは、
第１次元で第１アンテナポートの個数；
第２次元で第２アンテナポートの個数；
前記第１次元で第１オーバーサンプリングファクタ（ｏｖｅｒｓａｍｐｌｉｎｇ  ｆａｃｔｏｒ）；
前記第２次元で第２オーバーサンプリングファクタ；及び
複数のコードブックの中の部分集合を示すコードブック構成パラメータを含み、前記部分集合は前記コードブックを含み、
前記少なくとも１つの第１コードブックインデックスi１は前記第１次元のための第１インデックスi１，１及び前記第２次元のための第２インデックスi１，２を含み、
前記プリコーディング行列のセットの各々は前記コードブックパラメータに基づいて前記複数のコードブックから識別される前記コードブックのプリコーディング行列である請求項１５に記載の方法。
【請求項１９】
前記コードブック構成パラメータが第１値である場合、前記コードブックは前記第２コードブックインデックスの０から３までの値及び前記少なくとも１つの第１コードブックインデックスi１と関連付けられた第１ＰＭＩに対応し、
前記コードブック構成パラメータが第２値である場合、前記コードブックは前記第２コードブックインデックスの０から１５までの値及び前記少なくとも１つの第１コードブックインデックスi１と関連付けられた第１ＰＭＩに対応する請求項１８に記載の方法。
【請求項２０】
ＲＩ（ｒａｎｋ  ｉｎｄｉｃａｔｏｒ）を計算する過程をさらに含み、
前記第１ＰＭＩは前記ＲＩに基づいて広帯域（ｗｉｄｅｂａｎｄ）ＰＭＩに決定され、
前記ＣＱＩは、前記ＲＩ及び前記第１ＰＭＩに基づいて広帯域ＣＱＩに決定される請求項１５に記載の方法。
【請求項２１】
前記第２コードブックインデックスi２と関連付けられた値を報告しないように構成する情報を前記基地局から受信する過程をさらに含む請求項１５に記載の方法。
【請求項２２】
基地局（ｂａｓｅ  ｓｔａｔｉｏｎ、ＢＳ）の方法であって、
ユーザ端末（ｕｓｅｒ  ｅｑｕｉｐｍｅｎｔ、ＵＥ）にＣＳＩ−ＲＳ（ｃｈａｎｎｅｌ  ｓｔａｔｅ  ｉｎｆｏｒｍａｔｉｏｎ−ｒｅｆｅｒｅｎｃｅ  ｓｉｇｎａｌ）を送信する過程と、
第２コードブックインデックスi２と関連付けられた値を受信することなく、コードブックに対する少なくとも１つの第１コードブックインデックスi１と関連付けられた第１ＰＭＩ（ｆｉｒｓｔ  ｐｒｅｃｏｄｉｎｇ  ｍａｔｒｉｘ  ｉｎｄｉｃａｔｏｒ）及びＣＱＩ（ｃｈａｎｎｅｌ  ｑｕａｌｉｔｙ  ｉｎｄｉｃａｔｏｒ）を前記ユーザ端末から受信する過程を含み、
前記コードブックの各プリコーディング行列は前記少なくとも１つの第１コードブックインデックスi１及び第２コードブックインデックスi２によって特定され、
前記ＣＱＩは、前記コードブックのプリコーディング行列のセットから１つ以上のＰＲＢ（ｐｈｙｓｉｃａｌ  ｒｅｓｏｕｒｃｅ  ｂｌｏｃｋ）ごとにプリコーディング行列を選択することによって決定され、
前記プリコーディング行列のセットは前記少なくとも１つの第１コードブックインデックスi１及び前記第２コードブックインデックスi２と関連付けられた１つ以上の値に対応する方法。
【請求項２３】
ＲＩ（ｒａｎｋ  ｉｎｄｉｃａｔｏｒ）を前記ユーザ端末から受信する過程をさらに含み、
前記少なくとも１つの第１コードブックインデックスi１と関連付けられた前記第１ＰＭＩは前記ＲＩに基づいて計算される請求項２２に記載の方法。
【請求項２４】
前記基地局のＣＳＩ−ＲＳアンテナポート上で前記ＣＳＩ−ＲＳを前記ユーザ端末に伝送する過程をさらに含み、
前記少なくとも１つの第１コードブックインデックスi１は２つの偏向グループの各々に対する基底行列のセットを示すように用いられ、
前記第２コードブックインデックスi２は前記基底行列のセットの中で１つ及び前記２つの偏向グループの間に適用されるコフェージング（ｃｏ−ｐｈａｓｉｎｇ）の値を示すように用いられる請求項２２に記載の方法。
【請求項２５】
前記ユーザ端末にコードブックパラメータを伝送する過程をさらに含み、
前記コードブックパラメータは、
第１次元で第１アンテナポートの個数；
第２次元で第２アンテナポートの個数；
前記第１次元で第１オーバーサンプリングファクタ（ｏｖｅｒｓａｍｐｌｉｎｇ  ｆａｃｔｏｒ）；
前記第２次元で第２オーバーサンプリングファクタ；及び
複数のコードブックの中の部分集合を示すコードブック構成パラメータを含み、前記部分集合は前記コードブックを含み、
前記少なくとも１つの第１コードブックインデックスi１は前記第１次元のための第１インデックスi１，１及び前記第２次元のための第２インデックスi１，２を含み、
前記プリコーディング行列のセットの各々は前記コードブックパラメータに基づいて前記複数のコードブックから識別される前記コードブックのプリコーディング行列である請求項２２に記載の方法。
【請求項２６】
前記コードブック構成パラメータが第１値である場合、前記コードブックは前記第２コードブックインデックスの０から３までの値及び前記少なくとも１つの第１コードブックインデックスi１と関連付けられた第１ＰＭＩに対応し、
前記コードブック構成パラメータが第２値である場合、前記コードブックは前記第２コードブックインデックスの０から１５までの値及び前記少なくとも１つの第１コードブックインデックスi１と関連付けられた第１ＰＭＩに対応する請求項２５に記載の方法。
【請求項２７】
前記ユーザ端末からＲＩ（ｒａｎｋ  ｉｎｄｉｃａｔｏｒ）を受信する過程をさらに含み、
前記第１ＰＭＩは前記ＲＩに基づいて広帯域（ｗｉｄｅｂａｎｄ）ＰＭＩに決定され、
前記ＣＱＩは、前記ＲＩ及び前記第１ＰＭＩに基づいて広帯域ＣＱＩに決定される請求項２２に記載の方法。
【請求項２８】
前記第２コードブックインデックスi２と関連付けられた値を報告しないように構成する情報を前記ユーザ端末に伝送する過程をさらに含む請求項２２に記載の方法。